(57)【特許請求の範囲】
【請求項１】
誘導コイルを含む第１無線電力送信部と、
共振コイルを含む第２無線電力送信部と、
電力供給部と検出部とを含む制御部と、を含み、
前記電力供給部は、前記第１無線電力送信部を介して無線電力を送信する場合、第１時間周期で第１時間間隔の間、電力を生成し、前記第２無線電力送信部を介して無線電力を送信する場合、第２時間周期で第２時間間隔の間、電力を生成し、
前記検出部は、前記第１時間間隔で前記電力供給部と前記第１無線電力送信部との間に第１しきい値以上の電流が測定される場合、または前記第２時間間隔で前記電力供給部と前記第２無線電力送信部との間に第２しきい値以上の電流が測定される場合、電流の変化を検出し、
前記制御部は、電流の変化が検出される場合、無線電力受信装置に識別情報を要請し、前記無線電力受信装置から受信された識別情報に基づいて、前記第１無線電力送信部または前記第２無線電力送信部を介して前記無線電力受信装置に電力が送信されるように制御することを特徴とする、無線電力送信装置。
【請求項２】
前記制御部は、前記識別情報に基づいて、前記無線電力受信装置が誘導方式を使用する無線電力受信装置であるか否かを決定し、前記無線電力受信装置が誘導方式を使用する無線電力受信装置である場合、前記第１無線電力送信部を介して前記無線電力が前記無線電力受信装置に送信されるように制御することを特徴とする、請求項１に記載の無線電力送信装置。
【請求項３】
前記制御部は、前記識別情報に基づいて、前記無線電力受信装置が共振方式を使用する無線電力受信装置である場合、前記第２無線電力送信部を介して前記無線電力が前記無線電力受信装置に送信されるように制御することを特徴とする、請求項１に記載の無線電力送信装置。
【請求項４】
前記制御部は、電流の変化が検出される場合、前記無線電力受信装置が存在すると決定することを特徴とする、請求項１に記載の無線電力送信装置。
【請求項５】
前記第１時間周期は７００ｍｓであり、
前記第１時間間隔は５０ｍｓであり、
前記第１しきい値は５０ｍＡであることを特徴とする、請求項１に記載の無線電力送信装置。
【請求項６】
前記電力供給部は、反復的に７００ｍｓの時間間隔の間、前記電力を生成しない不活性化状態を維持した後、５０ｍｓの時間間隔の間、前記電力を生成する活性化状態を維持することを特徴とする、請求項５に記載の無線電力送信装置。
【請求項７】
前記第２時間周期は３００ｍｓであり、
前記第２時間間隔は３０ｍｓであり、
前記第２しきい値は２０ｍＡであることを特徴とする、請求項１に記載の無線電力送信装置。
【請求項８】
前記電力供給部は、反復的に２７０ｍｓの時間間隔の間、前記電力を生成しない不活性化状態を維持した後、３０ｍｓの時間間隔の間、前記電力を生成する活性化状態を維持することを特徴とする、請求項７に記載の無線電力送信装置。
【請求項９】
電力供給部が、誘導コイルを含む第１無線電力送信部を介して無線電力を送信する場合、第１時間周期で第１時間間隔の間、電力を生成し、共振コイルを含む第２無線電力送信部を介して無線電力を送信する場合、第２時間周期で第２時間間隔の間、電力を生成するステップと、
前記第１時間間隔で前記電力供給部と前記第１無線電力送信部との間に第１しきい値以上の電流が測定される場合、または前記第２時間間隔で前記電力供給部と前記第２無線電力送信部との間に第２しきい値以上の電流が測定される場合、電流の変化を検出するステップと、
前記電流の変化が検出される場合、無線電力受信装置に識別情報を要請するステップと、
前記無線電力受信装置から受信された識別情報に基づいて、前記第１無線電力送信部または前記第２無線電力送信部を介して前記無線電力受信装置に電力が送信されるように制御するステップと、
を含むことを特徴とする、無線電力送信装置の動作方法。
【請求項１０】
前記無線電力受信装置に電力が送信されるように制御するステップは、
前記識別情報に基づいて、前記無線電力受信装置が誘導方式を使用する無線電力受信装置であるか否かを決定するステップと、
前記識別情報に基づいて、前記無線電力受信装置が誘導方式を使用する無線電力受信装置である場合、前記第１無線電力送信部を介して前記無線電力が前記無線電力受信装置に送信されるように制御するステップと、を含むことを特徴とする、請求項９に記載の無線電力送信装置の動作方法。
【請求項１１】
前記無線電力受信装置に電力が送信されるように制御するステップは、
前記識別情報に基づいて、前記無線電力受信装置が共振方式を使用する無線電力受信装置であるか否かを決定するステップと、
前記無線電力受信装置が共振方式を使用する無線電力受信装置である場合、前記第２無線電力送信部を介して前記無線電力が前記無線電力受信装置に送信されるように制御するステップと、を含むことを特徴とする、請求項９に記載の無線電力送信装置の動作方法。
【請求項１２】
無線電力受信装置に識別情報を要請するステップは、
前記電流の変化が検出される場合、前記無線電力受信装置が存在すると決定するステップを含むことを特徴とする、請求項９に記載の無線電力送信装置の動作方法。
【請求項１３】
前記第１時間周期は７００ｍｓであり、
前記第１時間間隔は５０ｍｓであり、
前記第１しきい値は５０ｍＡであり、
前記第１しきい値以上の電流が測定される場合、前記電流の変化を検出するステップは、
反復的に６５０ｍｓの時間間隔の間、前記電力を生成しない不活性化状態を維持した後、５０ｍｓの時間間隔の間、前記電力を生成する活性化状態を維持するステップを含むことを特徴とする、請求項９に記載の無線電力送信装置の動作方法。
【請求項１４】
前記第２時間周期は３００ｍｓであり、
前記第２時間間隔は３０ｍｓであり、
前記第２しきい値は２０ｍＡであり、
前記第２しきい値以上の電流が測定される場合、前記電流の変化を検出するステップは、
反復的に２７０ｍｓの時間間隔の間、前記電力を生成しない不活性化状態を維持した後、３０ｍｓの時間間隔の間、前記電力を生成する活性化状態を維持するステップを含むことを特徴とする、請求項９に記載の無線電力送信装置の動作方法。
【発明の詳細な説明】
【技術分野】
【０００１】
本発明は無線電力充電システムに関し、特に無線電力充電システムの無線電力送信装置及び方法に関する。
【背景技術】
【０００２】
一般に、各種の電子機器がバッテリーを具備し、バッテリーに充電された電力を用いて駆動する。この際、電子機器で、バッテリーは取替されることができ、再度充電されることもできる。ここで、バッテリーの充電のために、電子機器は外部の充電装置と接触するための接触端子を備える。即ち、電子機器は接触端子を通じて充電装置と電気的に連結される。ところで、電子機器で接触端子が外部に露出することによって、異質物により汚染されるか、または湿気により短絡（short）されることがある。このような場合、接触端子と充電装置との間に接触不良が発生して、電子機器でバッテリーが充電できないという問題点がある。
【０００３】
前記の問題点を解決するために、無線電力充電システムが提案されている。無線電力充電システムは、無線電力送信装置及び無線電力受信装置を含む。ここで、電子機器が無線電力受信装置で具現される。そして、無線電力充電システムに、多数個の充電方式が存在する。この際、無線電力送信装置から電力を受信するために、無線電力送信装置に予め設定された充電方式が無線電力受信装置にも予め設定されていなければならない。これによって、無線電力送信装置と無線電力受信装置に予め設定された充電方式が相異する場合、無線電力受信装置は無線電力送信装置から電力を受信できないという問題点がある。
【発明の概要】
【発明が解決しようとする課題】
【０００４】
したがって、本発明は効率的に電力を送信するための無線電力送信装置及び方法を提供する。そして、本発明は多数個の充電方式によって、電力を送信するための無線電力送信装置及び方法を提供する。
【課題を解決するための手段】
【０００５】
前記の課題を解決するための本発明に従う無線電力送信装置は、第１送信方式を有する第１無線送信部と、第２送信方式を有する第２無線送信部と、前記第１送信方式または第２送信方式により電力を送信する制御部を含む。
【０００６】
この際、本発明に従う無線電力送信装置において、前記制御部は、前記第１無線送信部を活性化し、前記第２無線送信部を不活性化し、無線電力受信装置の受信方式が前記第１送信方式と同一であれば、前記第１送信方式により電力を送信する。
【０００７】
そして、本発明に従う無線電力送信装置において、前記制御部は、前記受信方式が前記第１送信方式と相異すれば、前記第１無線送信部を不活性化し、前記第２無線送信部を活性化し、前記受信方式が前記第２送信方式と同一であれば、前記第２送信方式により前記電力を送信する。
【０００８】
また、本発明に従う無線電力送信装置において、前記制御部は、前記受信方式が前記第２送信方式と相異すれば、前記第１無線送信部を活性化し、前記第２無線送信部を不活性化する。
【０００９】
また、本発明に従う無線電力送信装置において、前記制御部は、前記無線電力受信装置が存在するか否かを判断し、前記無線電力受信装置が存在すれば、前記受信方式を確認する。
【００１０】
一方、前記課題を解決するための本発明に従う無線電力送信装置の無線電力送信方法は、第１送信方式を有する第１無線送信部を活性化し、第２送信方式を有する第２無線送信部を不活性化するステップと、無線電力受信装置の受信方式が前記第１送信方式と同一であれば、前記第１送信方式により電力を送信するステップを含む。
【００１１】
そして、本発明に従う無線電力送信方法は、前記受信方式が前記第１送信方式と相異すれば、前記第１無線送信部を不活性化し、前記第２無線送信部を活性化するステップと、前記受信方式が前記第２送信方式と同一であれば、前記第２送信方式により前記電力を送信するステップをさらに含む。
【００１２】
また、本発明に従う無線電力送信方法は、前記受信方式が前記第２送信方式と同一であれば、第１送信方式を有する第１無線送信部を活性化し、第２送信方式を有する第２無線送信部を不活性化するステップをさらに含む。
【００１３】
また、本発明に従う無線電力送信方法は、前記無線電力受信装置が存在するか否かを判断するステップと、前記無線電力受信装置が存在すれば、前記受信方式を確認するステップをさらに含む。
【発明の効果】
【００１４】
本発明に従う無線電力送信装置及び方法は、多数個の送信方式により電力を送信できるので、多様な受信方式を有する無線電力受信装置を充電することができる。この際、無線電力送信装置は第１無線送信部と第２無線送信部を選択的に、または順次的に活性化することによって、第１無線送信部と第２無線送信部との間で干渉が発生することを防止することができる。これによって、無線電力送信装置はより効率的に電力を送信することができる。即ち、無線電力送信装置はより効率的に無線電力受信装置を充電することができる。
【図面の簡単な説明】
【００１５】
【図１】本発明が適用される無線電力充電システムの構成を示すブロック図である。
【図２】本発明の実施形態に従う無線電力送信装置の内部構成を示すブロック図である。
【図３】図２で無線送信部を例示的に示す平面図である。
【図４】図２で無線送信部の等価回路を示す回路図である。
【図５】本発明の実施形態に従う無線電力送信方法の進行手続を示す順序図である。
【図６】本発明の実施形態に従う無線電力送信方法を説明するための例示図である。
【発明を実施するための形態】
【００１６】
以下、添付の図面を参照して本発明の実施形態をより詳細に説明する。この際、添付の図面で同一な構成要素はできる限り同一な符号として表していることに留意しなければならない。そして、本発明の要旨を曖昧にすることがある公知機能及び構成に対する詳細な説明は省略する。
【００１７】
図１は、本発明が適用される無線電力充電システムの構成を示すブロック図である。
【００１８】
図１を参照すると、本発明が適用される無線電力充電システム１０は無線電力送信装置１００及び無線電力受信装置２００を含む。
【００１９】
無線電力送信装置１００は電源１１に連結されて、電源１１から電力を受信する。そして、無線電力送信装置１００は無線で電力を送信する。ここで、無線電力送信装置１００は交流電力を送信することができる。この際、無線電力送信装置１００は多数個の送信方式により電力を送信する。ここで、送信方式は電磁気誘導（electromagnetic induction）方式、共振（resonance）方式、及び電波放射（RF/Micro Wave Radiation）方式を含む。即ち、無線電力送信装置１００に、送信方式のうちの少なくとも２つが予め設定されている。また、無線電力送信装置１００は予め設定された送信方式のうちのいずれか１つを選択して、電力を送信することができる。
【００２０】
無線電力受信装置２００は無線で電力を受信する。ここで、無線電力受信装置２００は交流電力を受信することができる。そして、無線電力受信装置２００は交流電力を直流電力に変換することができる。この際、無線電力受信装置２００は予め設定された受信方式によって電力を受信する。ここで、受信方式は、電磁気誘導方式、共振方式、及び電波方式を含む。このような無線電力受信装置２００は、電力を用いて駆動することができる。
【００２１】
図２は、本発明の実施形態に従う無線電力送信装置の内部構成を示すブロック図である。そして、図３は図２で無線送信部を例示的に示す平面図であり、図４は図２で無線送信部の等価回路を示す回路図である。
【００２２】
図２を参照すると、本実施形態の無線電力送信装置１００は、インターフェース部１１０、無線送信部１２０、メモリ１３０、及び制御部１４０を含む。
【００２３】
インターフェース部１１０は、無線電力送信装置１００で電源１１とインターフェースを提供する。即ち、インターフェース部１１０が電源１１と接続する。ここで、インターフェース部１１０は電源１１と有線で連結できる。そして、インターフェース部１１０が電源１１から電力を受信する。
【００２４】
無線送信部１２０は、無線電力送信装置１００から無線で電力を送信する。この際、無線送信部１２０は多数個の送信方式によって電力を送信する。ここで、送信方式は、電磁気誘導方式、共振方式、及び電波放射方式を含む。
【００２５】
そして、無線送信部１２０は第１無線送信部１２１及び第２無線送信部１２３を含む。第１無線送信部１２１は、第１送信方式を有する。即ち、第１無線送信部１２１は第１送信方式によって電力を送信する。ここで、第１送信方式は、電磁気誘導方式、共振方式、または電波放射方式のうちのいずれか１つでありうる。第２無線送信部１２３は、第２送信方式を有する。即ち、第２無線送信部１２３は第２送信方式によって電力を送信する。ここで、第２送信方式は第１送信方式と相異し、電磁気誘導方式、共振方式、または電波放射方式のうちの他の１つでありうる。
【００２６】
この際、第１無線送信部１２１及び第２無線送信部１２３は、図３に示すように、 内側コイル１２５及び外側コイル１２６で具現できる。ここで、内側コイル１２５は１つの巻線からなることができ、図示してはいないが、３個の巻線を含むこともできる。そして、外側コイル１２６は１つの巻線からなることができる。また、内側コイル１２５が外側コイル１２６の内側に配置されて、外側コイル１２６が内側コイル１２５を囲むことができる。即ち、第１無線送信部１２１が第２無線送信部１２３の内側に配置されて、第２無線送信部１２３が第１無線送信部１２１を囲むことができる。または、第２無線送信部１２３が第１無線送信部１２１の内側に配置されて、第１無線送信部１２１が第２無線送信部１２３を囲むことができる。
【００２７】
また、第１無線送信部１２１の第１送信方式または第２無線送信部１２３の第２送信方式が電磁気誘導方式の場合、第１無線送信部１２１または第２無線送信部１２３は図４の（ａ）に示すように、送信誘導コイル１２７を含むことができる。この際、送信誘導コイル１２７は第１インダクタＬ１として示すことができる。これを通じて、送信誘導コイル１２７が電磁気誘導方式により電力を送信することができる。
【００２８】
これに対応して、無線電力受信装置２００の受信方式が電磁気誘導方式の場合、無線電力受信装置２００は受信誘導コイル２２７を含むことができる。この際、受信誘導コイル２２７は第２インダクタＬ２として示すことができる。これを通じて、送信誘導コイル１２７に対向して受信誘導コイル２２７が位置すれば、送信誘導コイル１２７が電磁気誘導方式により受信誘導コイル２２７に電力を送信することができる。
【００２９】
一方、第１無線送信部１２１の第１送信方式または第２無線送信部１２３の第２送信方式が共振方式の場合、第１無線送信部１２１または第２無線送信部１２３は図４の（ｂ）に示すように、送信誘導コイル１２８ａと送信共振コイル１２８ｂを含むことができる。この際、送信誘導コイル１２８ａは第３インダクタＬ３として示すことができる。また、送信共振コイル１２８ｂは第４インダクタＬ４と第１キャパシタＣ１として示すことができる。ここで、第４インダクタＬ４と第１キャパシタＣ１は相互並列に連結できる。これを通じて、送信誘導コイル１２８ａが電磁気誘導方式により送信共振コイル１２８ｂに電力を送信し、送信共振コイル１２８ｂが共振方式により電力を送信することができる。
【００３０】
または、第１無線送信部１２１の第１送信方式または第２無線送信部１２３の第２送信方式が共振方式の場合、第１無線送信部１２１または第２無線送信部１２３は図４の（ｃ）に示すように、送信共振コイル１２８を含み、送信共振コイル１２８が交流電源１２９に連結できる。この際、交流電源１２９は送信共振コイル１２８に交流電力を印加する。ここで、交流電源１２９は電源１１に接続されるインターフェース部１１０であるか、または制御部１４０の電力供給部１４１でありうる。そして、送信共振コイル１２８は第５インダクタＬ５と第２キャパシタＣ２として示すことができる。ここで、第５インダクタＬ５と第２キャパシタＣ２は相互並列に連結できる。これを通じて、交流電源１２９から交流電力が印加されれば、送信共振コイル１２８が共振方式により電力を送信することができる。
【００３１】
これに対応して、無線電力受信装置２００の受信方式が共振方式の場合、無線電力受信装置２００は受信共振コイル２２８を含むことができる。この際、受信共振コイル２２８は第６インダクタＬ６と第３キャパシタＣ３として示すことができる。ここで、第６インダクタＬ６と第３キャパシタＣ３は相互並列に連結できる。これを通じて、送信共振コイル１２８ａ、１２８に対向して受信共振コイル２２８が位置すれば、送信共振コイル１２８ａ、１２８が共振方式により受信共振コイル２２８に電力を送信することができる。
【００３２】
メモリ１３０は、無線電力送信装置１００の全般的な動作のためのプログラムを格納する。この際、メモリ１３０は第１無線送信部１２１または第２無線送信部１２３のうちのいずれか１つを用いて、電力を送信するためのプログラムを格納する。そして、メモリ１３０はプログラムの遂行中に発生するデータを格納する。
【００３３】
制御部１４０は、無線電力送信装置１００の全般的な動作を制御する。この際、制御部１４０は第１無線送信部１２１または第２無線送信部１２３のうちのいずれか１つを用いて電力を送信する。このために、制御部１４０は第１無線送信部１２１と第２無線送信部１２３を選択的に、または順次的に活性化して、無線電力受信装置２００の受信方式を確認することができる。そして、制御部１４０は無線電力受信装置２００の受信方式に対応して、第１無線送信部１２１の第１送信方式または第２無線送信部１２３の第２送信方式のうちのいずれか１つに電力を送信することができる。
【００３４】
具体的に、制御部１４０は第１無線送信部１２１を活性化し、第２無線送信部１２３を不活性化して、無線電力受信装置２００の受信方式を確認することができる。そして、無線電力受信装置２００の受信方式が第１無線送信部１２１の第１送信方式と同一であれば、制御部１４０が第１送信方式により電力を送信することができる。一方、無線電力受信装置２００の受信方式が第１無線送信部１２１の第１送信方式と相異すれば、制御部１４０が第１無線送信部１２１を不活性化し、第２無線送信部１２３を活性化して、無線電力受信装置２００の受信方式を確認することができる。また、無線電力受信装置２００の受信方式が第２無線送信部１２３の第２送信方式と同一であれば、制御部１４０が第２送信方式により電力を送信することができる。
【００３５】
そして、制御部１４０は電力供給部１４１及び検出部１４３を含む。電力供給部１４１は、第１無線送信部１２１または第２無線送信部１２３のうちのいずれか１つに電力を出力する。ここで、電力供給部１４１は予め定まった電流及び電圧で、一定の値の電力を出力する。検出部１４３は、電力供給部１４１と無線送信部１２０との間で電流の変化を検出する。この際、検出部１４３は電力供給部１４１の出力端または無線送信部１２０の入力端で電流の変化を検出する。ここで、検出部１４３は電流センサ（current sensor）を含む。
【００３６】
このような制御部１４０は、無線電力受信装置２００の受信方式を確認する前に、無線電力送信装置１００に対応して無線電力受信装置２００が存在するか否かを判断することができる。この際、電力供給部１４１に対応して、各種パラメータ（parameter）が設定されている。ここで、パラメータは第１送信方式及び第２送信方式によって相異する値に設定できる。具体的に、パラメータは電力供給部１４１が不活性化状態から活性化状態に切り換えるための時間周期、電力供給部１４１が活性化状態を維持するための時間間隔、電力供給部１４１から出力される電流と電圧及び電流の変化を検出するためのしきい値を含むことができる。
【００３７】
即ち、無線電力受信装置２００を充電しない待機モードで、電力供給部１４１は不活性化状態に待機することができる。そして、電力供給部１４１は予め設定された時間周期で活性化状態に切り換えられて、予め設定された時間間隔の間、活性化状態を維持することができる。活性化状態で、電力供給部１４１は予め定まった電流及び電圧で電力を出力することができる。また、予め設定された時間間隔が経過すれば、電力供給部１４１は不活性化状態に切換できる。これを通じて、検出部１４３が電流の変化を検出すれば、制御部１４０は無線電力受信装置２００が存在すると決定することができる。ここで、検出部１４３は電力供給部１４１と無線送信部１２０との間で電流を測定してしきい値と比較することによって、電流の変化を検出することができる。
【００３８】
図５は、本発明の実施形態に従う無線電力送信方法の進行手続を示す順序図である。そして、図６は本発明の実施形態に従う無線電力送信方法を説明するための例示図である。
【００３９】
図５を参照すると、本実施形態で無線電力送信方法の進行手続は、制御部１４０がステップ３１１で第１無線送信部１２１を活性化することから出発する。そして、制御部１４０は第２無線送信部１２３を不活性化する。即ち、制御部１４０は第１無線送信部１２１と第２無線送信部１２３とを同時に活性化しない。
【００４０】
次に、制御部１４０はステップ３１３で無線電力送信装置１００に対応して、無線電力受信装置２００が存在するか否かを判断する。この際、第１無線送信部１２１が活性化されても、電力供給部１４１は不活性化状態に待機することができる。そして、電力供給部１４１は、図６に示すように、周期的に活性化状態に切り換えられて、第１無線送信部１２１に電力４１０を出力することができる。具体的に、電力供給部１４１は予め設定された時間周期（Ｔａ＋Ｔｎ）で活性化状態に切り換えられ、予め設定された時間間隔（Ｔａ）の間、活性化状態を維持することができる。活性化状態で、電力供給部１４１は第１無線送信部１２１に電力４１０を出力することができる。ここで、電力供給部１４１は予め定まった電流及び電圧で、一定の値の電力４１０を出力することができる。また、予め設定された時間間隔（Ｔａ）が経過すれば、電力供給部１４１は不活性化状態に切換できる。これを通じて、検出部１４３が電流供給部１４１と第１無線送信部１２１との間で電流の変化を検出することができる。この際、電流の変化が検出されれば、制御部１４０は無線電力受信装置２００が存在すると決定することができる。
【００４１】
例えば、第１無線送信部１２１の第１送信方式が共振方式の場合、電力供給部１４１は３００ｍｓを時間周期（Ｔａ＋Ｔｎ）で活性化状態に切り換えられ、３０ｍｓの時間間隔（Ｔａ）の間、活性化状態を維持することができる。即ち、電力供給部１４１は反復的に２７０ｍｓの時間間隔（Ｔｎ）の間、不活性化状態を維持した後、３０ｍｓの時間間隔（Ｔａ）の間、活性化状態を維持することができる。この際、活性化状態で、電力供給部１４１は１５ｍＡの電流と３Ｖの電圧で電力４１０を出力することができる。ここで、無線電力受信装置２００が存在するか否かを決定するためのしきい値が２０ｍＡに予め設定されていることができる。これを通じて、電力供給部１４１と第１無線送信部１２１との間で３０ｍＡの電流が測定されれば、検出部１４３は電流の変化と検出することができる。または、電力供給部１４１と第１無線送信部１２１との間で１９ｍＡの電流が測定されれば、検出部１４３は電流の変化と検出しないことができる。
【００４２】
一方、第１無線送信部１２１の第１送信方式が電磁気誘導方式の場合、電力供給部１４１は７００ｍｓを時間周期（Ｔａ＋Ｔｎ）で活性化状態に切り換えられて、５０ｍｓの時間間隔（Ｔａ）の間、活性化状態を維持することができる。即ち、電力供給部１４１は反復的に６５０ｍｓの時間間隔（Ｔｎ）の間、不活性化状態を維持した後、５０ｍｓの時間間隔（Ｔａ）の間、活性化状態を維持することができる。この際、活性化状態で、電力供給部１４１は２０ｍＡの電流と４Ｖの電圧で電力４１０を出力することができる。ここで、無線電力受信装置２００が存在するか否かを決定するためのしきい値が５０ｍＡに予め設定されていることができる。これを通じて、電力供給部１４１と第１無線送信部１２１との間で９０ｍＡの電流が測定されれば、検出部１４３は電流の変化と検出することができる。または、電力供給部１４１と第１無線送信部１２１との間で４０ｍＡの電流が測定されれば、検出部１４３は電流の変化と検出しないことができる。
【００４３】
次に、ステップ３１３で無線電力受信装置２００が存在すると判断されれば、制御部１４０はステップ３１５で無線電力受信装置２００の受信方式を確認する。この際、制御部１４０は無線電力受信装置２００の識別情報を要請することができる。ここで、制御部１４０は第１無線送信部１２１を通じて無線電力受信装置２００の識別情報を要請することができる。この後、制御部１４０はステップ３１７で無線電力受信装置２００の受信方式が第１無線送信部１２１の第１送信方式と同一であるか否かを判断する。この際、無線電力受信装置２００から識別情報が受信されれば、制御部１４０は無線電力受信装置２００の受信方式が第１無線送信部１２１の第１送信方式と同一であると決定することができる。または、無線電力受信装置２００から識別情報が受信されれば、制御部１４０は無線電力受信装置２００の識別情報を分析して、無線電力受信装置２００の受信方式が第１無線送信部１２１の第１送信方式と同一であるか否かを判断することができる。
【００４４】
次に、ステップ３１７で無線電力受信装置２００の受信方式が第１無線送信部１２１の第１送信方式と同一であると判断されれば、制御部１４０はステップ３１８で第１無線送信部１２１の第１送信方式により電力を送信する。即ち、制御部１４０は第１無線送信部１２１を通じて電力を送信する。この際、電力供給部１４１は、図６に示すように、電力４２０を出力することができる。ここで、制御部１４０は予め設定された期間の間、または予め定まった量だけ電力を送信することができる。この後、制御部１４０はステップ３１１に戻ることができる。
【００４５】
一方、ステップ３１７で無線電力受信装置２００の受信方式が第１無線送信部１２１の第１送信方式と相異すると判断されれば、制御部１４０はステップ３１９で第１無線送信部１２１を不活性化する。そして、制御部１４０は第２無線送信部１２３を活性化する。即ち、制御部１４０は第１無線送信部１２１と第２無線送信部１２３とを同時に活性化しない。
【００４６】
次に、制御部１４０はステップ３２１で無線電力受信装置２００の受信方式を確認する。この際、制御部１４０は無線電力受信装置２００の識別情報を要請することができる。ここで、制御部１４０は第２無線送信部１２３を通じて無線電力受信装置２００の識別情報を要請することができる。この後、制御部１４０はステップ３２３で無線電力受信装置２００の受信方式が第２無線送信部１２３の第２送信方式と同一であるか否かを判断する。この際、無線電力受信装置２００から識別情報が受信されれば、制御部１４０は無線電力受信装置２００の受信方式が第２無線送信部１２３の第２送信方式と同一であると決定することができる。または、無線電力受信装置２００から識別情報が受信されれば、制御部１４０は無線電力受信装置２００の識別情報を分析して、無線電力受信装置２００の受信方式が第２無線送信部１２３の第１送信方式と同一であるか否かを判断することができる。
【００４７】
次に、ステップ３２３で無線電力受信装置２００の受信方式が第２無線送信部１２３の第２送信方式と同一であると判断されれば、制御部１４０はステップ３２４で第２無線送信部１２３の第２送信方式により電力を送信する。即ち、制御部１４０は第２無線送信部１２３を通じて電力を送信する。この際、電力供給部１４１は、図６に示すように、電力４２０を出力することができる。ここで、制御部１４０は予め設定された期間の間、または予め定まった量だけ電力を送信することができる。この後、制御部１４０はステップ３１１に戻ることができる。
【００４８】
一方、ステップ３２３で無線電力受信装置２００の受信方式が第２無線送信部１２３の第２送信方式と相異すると判断されれば、制御部１４０はステップ３１１に戻ることができる。
【００４９】
本発明によれば、無線電力送信装置１００が多数個の送信方式により電力を送信できるので、多様な受信方式を有する無線電力受信装置２００を充電することができる。この際、第１無線送信部１２１と第２無線送信部１２３とが同時に活性化されることによって、第１無線送信部１２１と第２無線送信部１２３との間で干渉が発生することがある。これによって、本発明の無線電力送信装置１００は第１無線送信部１２１と第２無線送信部１２３を選択的に、または順次的に活性化することによって、第１無線送信部１２１と第２無線送信部１２３との間で干渉が発生することを防止することができる。これによって、本発明の無線電力送信装置１００はより効率的に電力を送信することができる。即ち、本発明の無線電力送信装置１００はより効率的に無線電力受信装置２００を充電することができる。
【００５０】
一方、本明細書と図面に開示された本発明の実施形態は本発明の技術内容を容易に説明し、本発明の理解を助けるために特定例を提示したものであり、本発明の範囲を限定しようとするものではない。即ち、本発明の技術的思想に基づいた他の変形例が実施可能であるということは、本発明が属する技術分野で通常の知識を有する者に自明である。
【図１】
0006025891.tif 000002
【図２】
0006025891.tif 000003
【図３】
0006025891.tif 000004
【図４】
0006025891.tif 000005
【図５】
0006025891.tif 000006
【図６】
0006025891.tif 000007